(57)【特許請求の範囲】
【請求項１】
回転駆動部材に伸縮自在なロッドを介して巻軸を結合し、ビニールハウスの骨組上に展張されたシートの一端を巻軸に巻き付け、回転駆動部材を介して巻軸を一方向に回転することによりシートを巻き上げ又は巻き戻すビニールハウスにおける換気装置において、巻軸の基端近傍又は伸縮自在なロッドの先端近傍に重りを取付けたことを特徴とするビニールハウスにおける換気装置。
【請求項２】
回転駆動部材に伸縮自在なロッドを介して巻軸を結合し、ビニールハウスの骨組上に展張されたシートの一端を巻軸に巻き付け、回転駆動部材を介して巻軸を一方向に回転することによりシートを巻き上げ又は巻き戻すビニールハウスにおける換気装置において、巻軸の基端近傍又は伸縮自在なロッドの先端近傍に巻軸又は伸縮自在なロッドを下方に付勢するばね部材を設けたことを特徴とするビニールハウスにおける換気装置。
【請求項３】
ばね部材がコイルスプリング，ゴム紐，帯，伸縮自在な弾性帯又はこれを組合せたものからなることを特徴とする請求項２のビニールハウスにおける換気装置。
【請求項４】
回転駆動部材に伸縮自在なロッドを介して巻軸を結合し、ビニールハウスの骨組上に展張されたシートの一端を巻軸に巻き付け、回転駆動部材を介して巻軸を一方向に回転することによりシートを巻き上げ又は巻き戻すビニールハウスにおける換気装置において、巻軸の基端近傍又は伸縮自在なロッドの先端近傍に紐又は帯の一端を結合すると共に当該紐又は帯の下端をビニールハウスの下方の骨組又は取付部材に固定したことを特徴とするビニールハウスにおける換気装置。
【請求項５】
巻軸の基端近傍又は伸縮自在なロッドの先端近傍に他の紐又は帯の一端を結合し、当該紐又は帯の上端をビニールハウスの上方の骨組、骨組に設けた取付部材又は骨組から独立した取付部材に固定したことを特徴とする請求項３又は４のビニールハウスにおける換気装置。
【請求項６】
回転駆動部材に伸縮自在なロッドを介して巻軸を結合し、ビニールハウスの骨組上に展張されたシートの一端を巻軸に巻き付け、回転駆動部材を介して巻軸を一方向に回転することによりシートを巻き上げ又は巻き戻すビニールハウスにおける換気装置において、伸縮自在なロッドをアウターチューブとアウターチューブ内に移動自在に挿入したインナーチューブとで構成し、アウターチューブとインナーチューブとの間にインナーチューブを圧縮方向に付勢するスプリングを介在させたことを特徴とするビニールハウスにおける換気装置。
【請求項７】
伸縮自在なロッドの基端と回転駆動部材との間に第１のユニバーサルジョイントを設け、伸縮自在なロッドの先端と巻軸の基端との間に第２のユニバーサルジョイントを設けたことを特徴とする請求項１，２，３，４，５又は６のビニールハウスにおける換気装置。
【発明の詳細な説明】
【０００１】
【発明の属する技術分野】
本発明は、骨組の外周に透明又は半透明の合成樹脂シートを展張した動・植物育成用の温室たるビニールハウスにおける換気装置に関する。
【０００２】
【従来の技術】
一般に、ビニールハウス，パイプハウスと称する温室は、アーチパイプに常時透明シートを展張したままであると、ハウス内が高温となり、育成する動・植物に悪影響を与え、あるいはハウス内で作業する作業者にとっては大変熱く、作業が非常に困難となる。
【０００３】
この為、従来は、ハウスの側面、屋根面あるいは谷部等の任意の位置に換気装置を取り付け、シートを巻き上げ又は巻き戻すことによりハウス内を外気と通じさせ又は遮断してハウス内の温度調整を図っているのが普通である。
【０００４】
この場合の換気装置は、図１４に示すように、シート１の一端を巻き付けた巻軸たるパイプ２と、パイプ２の一端を出力軸３を介して結合した回転駆動部材４と、回転駆動部材４に入力軸を介して結合したハンドル５とで構成されている。この場合、動力伝達機構と出力軸と入力軸とは一体に回転駆動部材４のハウジング６内に内蔵され、ハウジング６の端部にはハンドル５又は電動式の駆動機構が設けられ、又このハウジング６は地上に起立するガイドパイプＰで保持されている。
【０００５】
パイプ２にシート１の下端を巻き付け、ハンドル５を回転するとパイプ２が回動し、パイプ２はシート１を巻き取りながら上昇し、シート１の下方に換気用の開口部Ａが形成され、ハンドル５を反対方向に回動するとシート１は巻き戻されて開口部Ａが遮断される。
【０００６】
普通、回転駆動部材４は、ガイドパイプＰに案内されて上下動するが、ガイドパイプＰに対して固定しておいたり、何らかの原因で上下動しなくなる場合がある。
【０００７】
このように回転駆動部材４が固定されている場合には、パイプ２の基端とハウジング６は変位せず、パイプ２の中間胴部や先端側がシート１を巻き上げながら上昇し、パイプ２が弯曲する。この為、弯曲したままの状態で長時間開口部Ａを形成しておき、更に巻き戻すときは弯曲した状態で下降する。このようにパイプ２が弯曲するとパイプ２の基端の接続位置に無理な荷重がかかりパイプ２の一部が変形したり、破損したり、再使用が困難となり、最悪の場合は換気装置全体が破損する不具合がある。
【０００８】
この為、例えば、実用新案登録第３０３５０５６号公報に示すように、シートを巻き取りながら上昇している最中においてパイプに無理な荷重がかからず、パイプの変形、破損、抜けを防止し、併せて、全体の機構の破損を防止すると共に安全性を確保できるビニールハウスの換気装置が開発されている。
【０００９】
この換気装置は、巻軸たるパイプと回転駆動部材との間に伸縮自在なロッドと、当該伸縮自在なロッドの先端に結合した中空なカップリング又はユニバーサルジョイントとを介在させ、伸縮自在なロッドの基端を回転駆動部材に結合し、カップリング又はユニバーサルジョイントの先端にパイプの一端を結合したものである。
【００１０】
【発明が解決しようとする課題】
上記公報に記載された従来の換気装置は、パイプに作用する無理な荷重を伸縮自在なロッドが吸収する著しい効果を有し、又シートを巻き上げる時はスムースにパイプと伸縮自在なロッドが回転しながら上昇するが、全開位置からシートを巻き戻す時の初期には伸縮自在なロッドが弯曲している関係上摺動抵抗が大きくてスムースに圧縮できず、その結果パイプがスムースに回転せず、シートを巻き戻せなくなったり、シートを巻き戻す作業が著しく困難な場合が発生する。
【００１１】
そこで、本発明の目的は、シートを巻き上げた全開位置からシート巻き戻す場合に伸縮自在なロッドがスムースに圧縮し、シートを巻き戻しながらパイプと伸縮自在なロッドが速やかに下降できるビニールハウスにおける換気装置を提供することである。
【００１２】
【課題を解決するための手段】
上記の目的を達成のため、本発明の一つの手段は、回転駆動部材に伸縮自在なロッドを介して巻軸を結合し、ビニールハウスの骨組上に展張されたシートの一端を巻軸に巻き付け、回転駆動部材を介して巻軸を一方向に回転することによりシートを巻き上げ又は巻き戻すビニールハウスにおける換気装置において、巻軸の基端近傍又は伸縮自在なロッドの先端近傍に重りを取付けたことを特徴とするものである。
【００１３】
同じく他の手段は、回転駆動部材に伸縮自在なロッドを介して巻軸を結合し、ビニールハウスの骨組上に展張されたシートの一端を巻軸に巻き付け、回転駆動部材を介して巻軸を一方向に回転することによりシートを巻き上げ又は巻き戻すビニールハウスにおける換気装置において、巻軸の基端近傍又は伸縮自在なロッドの先端近傍に巻軸又は伸縮自在なロッドを下方に付勢するばね部材を設けたことを特徴とするものである。
【００１４】
この場合、ばね部材がコイルスプリング，ゴム紐，帯，伸縮自在な弾性帯又はこれらを組合せたものからなるのが好ましい。
【００１５】
同じく他の手段は、回転駆動部材に伸縮自在なロッドを介して巻軸を結合し、ビニールハウスの骨組上に展張されたシートの一端を巻軸に巻き付け、回転駆動部材を介して巻軸を一方向に回転することによりシートを巻き上げ又は巻き戻すビニールハウスにおける換気装置において、巻軸の基端近傍又は伸縮自在なロッドの先端近傍に紐の一端を結合すると共に当該紐の下端をビニールハウスの下方の骨組に固定したことを特徴とするものである。
【００１６】
上記二つの手段において、巻軸の基端近傍又は伸縮自在なロッドの先端近傍に他の紐又は帯の一端を結合し、当該紐又は帯の上端をビニールハウスの上方の骨組、骨組に設けた取付部材又は骨組から独立した取付部材に固定するのが好ましい。
【００１７】
同じく他の手段は、回転駆動部材に伸縮自在なロッドを介して巻軸を結合し、ビニールハウスの骨組上に展張されたシートの一端を巻軸に巻き付け、回転駆動部材を介して巻軸を一方向に回転することによりシートを巻き上げ又は巻き戻すビニールハウスにおける換気装置において、伸縮自在なロッドをアウターチューブとアウターチューブ内に移動自在に挿入したインナーチューブとで構成し、アウターチューブとインナーチューブとの間にインナーチューブを圧縮方向に付勢するスプリングを介在させたことを特徴とするものである。
【００１８】
上記各手段において、伸縮自在なロッドの基端と回転駆動部材との間に第１のユニバーサルジョイントを設け、伸縮自在なロッドの先端と巻軸の基端との間に第２のユニバーサルジョイントを設けるのが好ましい。
【００１９】
【発明の実施の形態】
以下、本発明の実施の形態を図にもとづいて説明する。
【００２０】
本発明に係るビニールハウスＢの換気装置１０は、図１，図２，図３に示すように、例えば、当該ビニールハウスＢの側面側に配置される。ビニールハウスＢは、アーチ状パイプ１１と、このアーチ状パイプ１１の外面に蟻溝フレーム１４ａと係止線条１３からなるシートの定着部材１４を介して展張された透明又は半透明なビニール等の合成樹脂製シート１とで構成されている。
【００２１】
シート１の端部は、伸縮自在なロッド２０と巻軸２２とを備えたシャフト１２に巻かれ、シャフト１２を回転することにより巻き上げ又は巻き戻されて側面の換気用開口部Ａを開閉する。開口部Ａは屋根面、あるいは連棟ハウスの谷部に形成してもよい。
【００２２】
本発明に係る換気装置１０の一つの実施形態は、図２に示すように、ビニールハウスＢの骨組上に展張されたシート１の一端をシャフト１２に巻き付け、シャフト１２を回転駆動部材１５を介して一方向に回転することによりシート１を巻き上げ又は巻き戻すものである。そして、図２の実施の形態における特徴とするところは、巻軸２２の基端近傍に重りＫを設けたことである。以下シャフト１２の取付構造について詳述する。
【００２３】
図２乃至図４に示すように、回転駆動部材１５に補強フレーム１６を一体に連設し、この補強フレーム１６に一つ又は複数の取付孔１７を設け、ビニールハウスＢの骨組たるアーチパイプ１１に固定した水平な支持桿１８を上記取付孔１７に挿着している。更に、上記シャフト１２は回転駆動部材１５に結合した第１のユニバーサルジョイント１９と、第１のユニバーサルジョイント１９に結合した伸縮自在なロッド２０と、伸縮自在なロッド２０の先端に結合した第２のユニバーサルジョイント２１と、第２のユニバーサルジョイント２１に結合したパイプからなる巻軸２２とで構成されている。
【００２４】
回転駆動部材１５はハウジング２３と、ハウジング２３内に設けられて入力軸２４からの回転入力を出力軸２５に伝達する回転伝達機構とからなり、出力軸２５に第１のユニバーサルジョイント１９の基端がボルト２６を介して結合している。補強フレーム１６はハウジング２３と一体に形成し、補強フレーム１６には出力軸２５と平行に複数の、例えば、二つの取付孔１７を形成している。
【００２５】
伸縮自在なロッド２０はアウターチューブ２７と、アウターチューブ２７内に摺動自在に挿入したインナーチューブ２８とからなり、基端の第１のユニバーサルジョイント１９を介して伸縮しながら起伏できるようになっている。巻軸２２は第２のユニバーサルジョイント２１を介して伸縮自在なロッド２０と連動するが、伸縮自在なロッド２０が起伏しても第２のユニバーサルジョイント２１が屈曲して巻軸２２は常に水平に保持されている。
【００２６】
巻軸２２の基端には重りＫが取付けられて常時シャフト１２を下方に重量をかけている。この重りＫは伸縮自在なロッド２０の先端、例えばインナーチューブ２８の上端近傍に設けてもよい。重りＫは下方に重量をかけることによって伸縮自在なロッド２０の摺動性を向上させている。重りＫは、図６，図７に示すように、例えばリングＫ１と筒部Ｋ２とからなり、筒部Ｋ２をボルトで巻軸２２に固定させている。
【００２７】
支持桿１８は上下二本平行に配設され、ジョイント２９を介してそれぞれアーチパイプ１１にクロスして結合され、この支持桿１８の端部は取付孔１７に挿入後ボルト３０で定着される。支持桿１８がビニールハウスＢの骨組に固定されることによって回転駆動部材１５もビニールハウスＢの骨組に直接固定されることになり、しかもビニールハウスＢの組立と同時に換気装置１０全体もビニールハウスＢ自体に直接取付けられて固定されることになる。尚、支持桿１８はビニールハウスＢの組立後に骨組に結合してもよい。
【００２８】
シャフト１２は回転駆動部材１５における入力軸２４に結合したハンドル３１の回動操作で回転駆動される。ハウジング２３と補強フレーム１６はハンドル３１の回動時に回転しないように、上下二本の支持桿１８，１８で固定されている。
【００２９】
但し、補強フレーム１６に一つの断面矩形状の取付孔を形成し、これに、図５（Ａ）（Ｂ）（Ｃ）（Ｄ）に示すように角柱パイプａ，ｂ、Ｌ状アングルｃ、Ｃ型チャンネルｄ等を支持桿として利用して取付けてもよい。
【００３０】
補強フレーム１６にはフレーム本体の強度アップの為、複数のブレード３２が設けられている。ブレード３２は無くても良く、他の補強部材を使用してもよい。
【００３１】
図１，図２に示すように、例えば、ハンドル３１を一方向に回動するとシャフト１２が同一方向に回動してシート１を巻き上げて開口部Ａを開き、ハンドル３１を他方向に回動するとシート１を巻き戻して開口部Ａを閉じる。この際、例えば、シート１を巻き上げる時、出力軸２５は固定であるため、第１のユニバーサルジョイント１９を介して伸縮自在なロッド２０が回転しながら傾斜し、更に、上方のユニバーサルジョイント２１が屈曲すると共にシート１を巻き付けた巻軸２２は水平状態を保ったまま回転しながらシート１を巻き付けて上方に移動する。
【００３２】
更に、図６に示すように矢印Ｘの位置の全開状態からシート１を巻き戻す時、重りＫがシャフト１２、特に、インナーチューブ２８の上端を下方に向けて押し込む力を発生するため、伸縮自在なロッド２０がスムースに圧縮方向に摺動し、これにより巻軸２２もスムースに回転し、手軽にシート１を巻き戻すことができる。
【００３３】
図８は、本発明の他の実施の形態に係り、これは、巻軸２２の基端近傍に当該巻軸２２を下方に付勢するばね部材たるコイルスプリングＬを取付けたものである。コイルスプリングＬの下端はビニールハウスＢの下方の骨組又は地上のアンカーボルト等に固定されている。コイルスプリングＬは伸縮自在なロッド２０の先端、例えばインナーチューブ２８の先端近傍に設けてもよい。この場合は、全開状態からシート１を巻き戻す時コイルスプリングＬが積極的にシャフト１２を下方に引張り込むから、その勢いで伸縮自在なロッド２０がスムースに圧縮し、その結果シート１の巻き戻しがスムースとなる。ばね部材としてはコイルスプリングＬに代えたゴム紐，弾性に富む伸縮自在な巾広の帯であっても良く、あるいはこれらを組合せたものであってもよい。
【００３４】
同じく図９は、本発明の他の実施の形態を示し、これは伸縮自在なロッド２０の先端近傍に紐Ｍの一端を結合し、この紐Ｍの下端をビニールハウスＢの下方骨組に固定したものである。紐Ｍは巻軸２２側に結合してもよい。紐Ｍは伸縮自在なロッド２０が上昇した全開位置の時に巻き戻され、伸縮自在なロッド２０が下降するに従って徐々に巻き付き、巻き付きに従って伸縮自在なロッド２０を下方に引張り込み、これにより伸縮自在なロッド２０の圧縮方向の摺動性を良好にさせている。紐Ｍに代えて巾広の帯を使用してもよい。
【００３５】
図８，図９に示す実施の形態では、ばね部材、紐Ｍ又は帯が一つ設けられているが、もう一つの紐Ｍ又は帯を伸縮自在なロッド２０又は巻軸２２に結合し、この紐Ｍ又は帯の他端を上方の骨組に固定して互いに反対方向に二つの紐Ｍ又は帯を巻き付けるようにしてもよい。
【００３６】
即ち、図１０に示す実施の形態のように、巻軸２２の基端近傍に下方のばね部材Ｗと上方の巾広の帯３０又は紐を結合しても良く、図１１に示す実施の形態のように、巻軸２２の基端近傍に下方の帯３３又は紐と上方の帯３０を結合してもよい。
【００３７】
図１０の実施の形態では、下方のばね部材Ｗは帯３０ａとコイルスプリング３２を直列に結合し、帯３０ａの上端を巻軸２２に結合し、コイルスプリング３２の下端をビニールハウスの下方骨組や地上の取付部材たるアンカーボルト、その他の止具に結合し、更に他の上方の帯３０は下端を巻軸２２に結合し、上端をビニールハウスの上方骨組に固定したものである。この場合、点線で示すシートの全閉位置Ｓでは下方の帯３０ａが巻軸２２に全量巻き付き、上方の帯３０は全量巻き戻されている。尚、上方の帯３０の上端は骨組に設けた取付部材や骨組から独立して設けた取付部材に結合してもよい。
【００３８】
全閉位置Ｓからハンドル３１でシャフト１２を回転駆動すると巻軸２２にシート１が巻かれて上昇することにより開口部Ａが徐々に開口し、この時、下方の帯３０ａは巻き戻され、上方の帯３０は巻軸２２に巻き付く。この場合、図１０の中立位置より下方の位置では巻軸２２に巻かれた上方の帯３０の巻径（巻量）が小さく、下方の帯３０ａの巻径が大きい為に同じ巻軸２２の回転量に対しては下方の帯３０ａが多く巻き付き、その結果コイルスプリング３２は延びて下方の帯３０ａを下方に引張り込んでいる。
【００３９】
図示の中立位置になると上下の帯３０，３０ａの巻軸２２に対する巻径が同一となり、コイルスプリング３２は中立となる。この位置から更に全開位置Ｔまで上昇すると、上方の帯３０による巻径が大きくなり、下方の帯３０ａの巻径が小さくなる為、両者が同調するように再びコイルスプリング３２が延びて下方の帯３０ａを下方に引張り込む。
【００４０】
全開位置Ｔからハンドル３１を介してシャフト１２を逆方向に回転する上方の帯３０が巻き戻され、下方の帯３０ａが巻軸２２に巻き付き初める。しかしこの時、下方の帯３０ａの巻径が上方帯３０の巻径より小さい為にたるみ勝ちになるが、コイルスプリング３２がこれを下方に引張り込んでいるのでたるむのが防止される。
【００４１】
更に、下降初期にはコイルスプリング３２が巻軸２２を介してシャフト１２全体を下方に引張り込んでいるから伸縮ロッド２０がスムースに圧縮し、同様の下方の帯３０ａが巻軸２２に巻き付き、上方の帯３０が巻き戻され、巻軸２２がスムースに回転して全閉位置Ｓまで下降する。尚、コイルスプリング３２は図示の中立状態では中立となり、この位置から更に下方に移行するとコイルスプリング３２は再び延び初める
同様に、図１１の実施の形態では、下方の帯３３は、図示の中立位置を越えて全開位置に近い位置までは巻き戻されていくが、全量巻き戻された位置からは緊張して巻軸２２を下方に引張込む力が発生する。この為、全開位置から閉じ方向に移行する初期には下方の帯３３の引張り力で巻き軸２２が下方に引張られ、伸縮ロッド２０がスムースに圧縮し、シート１の巻き戻し作業がスムースに行なえる。
【００４２】
更に図１２は、本発明の他の実施の形態を示し、これはアウターチューブ２７の内部下端とインナーチューブ２８の下端との間にインナーチューブ２８を常時圧縮方向に引張るスプリングＮを介在させたものである。この場合は全開位置からシート１を巻き戻す時スプリングＮが積極的にインナーチューブ２８を下方に引張り込むから伸縮自在なロッド２０の摺動性が向上し、シート１をスムースに巻き戻すことができる。スプリングＮはインナーチューブ２８の外周又は上方に設けてインナーチューブ２８を圧縮方向に押し込むものを使用してもよい。
【００４３】
図１３は、本発明の他の実施の形態を示し、これは回転駆動部材１５を揺動自在に取付けたものである。この実施の形態では、回転駆動部材１５が揺動して直接伸縮自在なロッド２０を起伏できるから、図２の実施の形態と対比した時基端の第１のユニバーサルジョイント１９が省略されている。
【００４４】
図１３に示す換気装置１０は、図２の場合と同じく、ビニールハウスＢの骨組上に展張されたシート１の一端をシャフト１２に巻き付け、シャフト１２を回転駆動部材１５を介して一方向に回転することによりシート１を巻き上げ又は巻き戻すものである。更にシャフト１２に重りＫを取付ける点も同じである。この場合、回転駆動部材１５を補強フレーム１６ａを介してブラケット３３に揺動自在に取付け、ブラケット３３をビニールハウスＢの骨組に固定した支持桿１８に取付け、更に上記シャフト１２を回転駆動部材１５に結合した伸縮自在なロッド２０と、伸縮自在なロッド２０の先端に結合したユニバーサルジョイント２１と、ユニバーサルジョイント２１に結合した巻軸２２とで構成させたものである。重りＫに代えて、上記図８に示すスプリングＬ、図９に示す紐Ｍ、その他のばね部材，ゴム紐、図１２に示すスプリングＮを利用してもよい。
【００４５】
ブラケット３３は、例えば板状に形成され、このブラケット３３に回転軸等を介して補強フレーム１６ａと回転駆動部材１５のハウジング２５が矢印Ｙ方向に移動自在に取付けられている。ハウジング２５はブラケット３３に直接揺動自在に結合してもよい。ブラケット３３は図示のように二本の支持桿１８に押え金具３４を介して固定しているが、このブラケット３３に取付孔を形成して支持桿１８又は図５に示す支持桿ａ，ｂ，ｃ．ｄを挿入してもよい。
【００４６】
この実施の形態では、ハンドル３１を回動するとシャフト１２が回動してシート１を巻き上げ又は巻き戻すか、この際、伸縮ロッド２０が傾斜するとその傾斜方向にハウジング１５が揺動するようになっている。上記の換気装置はビニールハウスＢの側面に設けられているが、これは妻面又は屋根面に設けてもよい。
【００４７】
【発明の効果】
本発明によれば、次の効果がある。
【００４８】
各請求項の発明によれば、伸縮自在なロッドに重り，ばね部材，スプリング，紐，帯等で圧縮方向の力を付勢しているので、シャフトが上昇した全開位置からシートを巻き戻す初期に伸縮自在なロッドが自動的に圧縮方向に摺動しようとし、その結果伸縮自在なロッドがスムースに圧縮し、巻軸の回転もスムースになるのでシートの巻き戻し作業が手軽に速やかに行なえ、作業性の向上が図れる。
【図面の簡単な説明】
【図１】本発明の一実施の形態に係る換気装置を取付けたビニールハウスの略示斜視図である。
【図２】図１の換気装置の一部拡大斜視図である。
【図３】図２の分解斜視図である。
【図４】回転駆動部材の拡大斜視図である。
【図５】（Ａ）（Ｂ）（Ｃ）（Ｄ）は支持桿の各実施の形態に係る一部切欠き斜視図である。
【図６】図１の拡大側面図である。
【図７】図６の重り部分の一部拡大斜視図である。
【図８】他の実施の形態に係るビニールハウスの略示側面図である。
【図９】他の実施の形態に係るビニールハウスの略示側面図である。
【図１０】他の実施の形態に係るビニールハウスの略示側面図である。
【図１１】他の実施の形態に係るビニールハウスの略示側面図である。
【図１２】伸縮自在なロッドの一実施の形態に係る一部縦断側面図である。
【図１３】他の実施の形態に係る換気装置の一部拡大斜視図である。
【図１４】従来の換気装置の一部切欠き斜視図である。
【符号の説明】
１  シート
１０  換気装置
１２  シャフト
１５  回転駆動部材
１６  補強フレーム
１７  取付孔
１８  支持桿
１９  第１のユニバーサルジョイント
２０  伸縮自在なロッド
２１  第２のユニバーサルジョイント
２２  巻軸
２３  ハウジング
２４  入力軸
２５  出力軸
２７  アウターチューブ
２８  インナーチューブ
３０，３１，３３  帯
３３  ブラケット
Ｂ  ビニールハウス
Ｋ  重り
Ｌ  スプリング
Ｍ  紐
Ｎ  スプリング
Ｗ  ばね部材
【図１】
0004261000.tif 000002
【図２】
0004261000.tif 000003
【図３】
0004261000.tif 000004
【図４】
0004261000.tif 000005
【図５】
0004261000.tif 000006
【図６】
0004261000.tif 000007
【図７】
0004261000.tif 000008
【図８】
0004261000.tif 000009
【図９】
0004261000.tif 000010
【図１０】
0004261000.tif 000011
【図１１】
0004261000.tif 000012
【図１２】
0004261000.tif 000013
【図１３】
0004261000.tif 000014
【図１４】
0004261000.tif 000015